(57)【要約】【課題】並置される複数の回路基板の相対位置を、螺子を用いることなく容易に保持することができる基板保持具、この基板保持具が保持した複数の回路基板を容易に固定することができる電子装置、及び電子装置を備える表示装置を提供する。【解決手段】一面に複数の発光ダイオード１が実装されている略短冊形をなし、複数列に並置される複数の発光ダイオード基板２の長手方向一端部に、厚さ方向に貫通する孔２３を開設し、隣合う発光ダイオード基板２，２の孔２３，２３に嵌入される凸部４１，４１及び発光ダイオード基板２の長手方向と直交する方向に配される短冊形をなし、凸部４１，４１夫々の基端を連結する連結部４２を有する基板保持具４を設け、凸部４１，４１を孔２３，２３に嵌入することにより、並置される複数の発光ダイオード基板２を保持するようにした。【選択図】図１
2010278426.tif 000002
【特許請求の範囲】
【請求項１】
並置される複数の回路基板を支持するための支持体に前記回路基板を保持する基板保持具であって、隣合う前記回路基板及び支持体に開設される孔に嵌入されるべき複数の凸部と、該凸部夫々を連結している連結部とを有することを特徴とする基板保持具。
【請求項２】
前記凸部は複数列に配されている請求項１記載の基板保持具。
【請求項３】
前記連結部は、前記支持体に取付けられる取付部を有する請求項１又は２記載の基板保持具。
【請求項４】
前記連結部は、前記回路基板と離隔して対向配置される光学シートのシート面に先端が接触して該光学シートの撓みを制限する柱形部を有する請求項１から３のいずれか一つに記載の基板保持具。
【請求項５】
前記連結部の前記凸部の間には、コネクタを設けてある請求項１から４のいずれか一つに記載の基板保持具。
【請求項６】
発光ダイオードが実装され、並置される複数の回路基板と、請求項１から５のいずれか一つに記載の基板保持具とを備えることを特徴とする電子装置。
【請求項７】
前記回路基板は複数列に配してある請求項６記載の電子装置。
【請求項８】
前記回路基板は、一面に回路部及び前記発光ダイオードを配してあり、隣合う前記回路基板同士をコネクタにて接続するための接続部を前記一面に設けてある請求項６又は７記載の電子装置。
【請求項９】
前記コネクタは前記連結部に設けてある請求項８記載の電子装置。
【請求項１０】
前記回路基板を支持する支持体を備え、該支持体及び前記回路基板は前記凸部が嵌入される孔を設けてある請求項６から９のいずれか一つに記載の電子装置。
【請求項１１】
前記発光ダイオードがその内部に配される貫通孔及び前記凸部が挿入される第２孔を有し、前記回路基板に対向して前記発光ダイオードが発光した光を反射させる反射シートを備える請求項６から１０のいずれか一つに記載の電子装置。
【請求項１２】
前記回路基板は隣合う列の間が、異なる距離にて離隔している請求項７記載の電子装置。
【請求項１３】
並置される前記回路基板は、前記発光ダイオードの実装数を異にする請求項６から１２のいずれか一つに記載の電子装置。
【請求項１４】
一側に表示面を有する表示部と、該表示部の他側に配された請求項６から１３のいずれか一つに記載の電子装置とを備えることを特徴とする表示装置。
【発明の詳細な説明】
【技術分野】
【０００１】
本発明は並置される複数の回路基板を保持する基板保持具、該基板保持具を備える電子装置、及び該電子装置を備える表示装置に関する。
【背景技術】
【０００２】
テレビジョン等の表示装置は、画像を表示する表示面を前側に有する表示部の後側に、該表示部を照射するための光源を有する電子装置が配されている。
【０００３】
電子装置は、例えば一面に複数の発光ダイオードが実装され、並置される複数の発光ダイオード基板と、発光ダイオードが発光した光を発散させる複数のレンズと、該レンズがその内部に配される貫通孔を有し、前記レンズの周縁部を発光ダイオード基板との間で挟み込むレンズカバーと、並置される発光ダイオード基板を支持するバックライトフレームとを備える（例えば、特許文献１参照。）。
【０００４】
発光ダイオード基板及びレンズカバーには複数の挿通孔が開設され、該挿通孔に対応する取付孔がバックライトフレームに開設され、発光ダイオード基板及びレンズカバーの挿通孔に挿通される雄螺子が取付孔に捩じ込まれることにより、発光ダイオード基板及びレンズカバーをバックライトフレームに固定するとともに、レンズカバーにおける貫通孔の周縁部と発光ダイオード基板との間でレンズの周縁部を挟み込み、レンズを固定するように構成されている。
【先行技術文献】
【特許文献】
【０００５】
【特許文献１】特開２００８−４１５４６号公報
【発明の概要】
【発明が解決しようとする課題】
【０００６】
しかし、特許文献１のように並置される複数の発光ダイオード基板を個々に雄螺子にて固定するように構成された電子装置にあっては、雄螺子の捩じ込み工数が増加し、発光ダイオード基板の取付け作業性が悪く、コスト高になるという問題があった。
【０００７】
本発明は斯かる事情に鑑みてなされたものであり、主たる目的は並置される複数の回路基板を、螺子を用いることなく支持体に容易に保持することができる基板保持具、基板保持具を備える電子装置、及び電子装置を備える表示装置を提供することにある。
【課題を解決するための手段】
【０００８】
本発明に係る基板保持具は、並置される複数の回路基板を支持するための支持体に前記回路基板を保持する基板保持具であって、隣合う前記回路基板及び支持体に開設される孔に嵌入されるべき複数の凸部と、該凸部夫々を連結している連結部とを有することを特徴とする。
【０００９】
この発明にあっては、孔が開設されている支持体に、該支持体の前記孔に対応する孔が開設されている複数の回路基板が並置されている状態で、基板保持具の凸部を、隣合う回路基板の孔から支持体の孔に嵌入することにより、隣合う回路基板同士を同時に支持体に保持することができ、回路基板夫々の離隔距離を揃えることができ、この状態で回路基板夫々を固定することができるため、並置される回路基板の支持体への取付け作業性を高めることができる。
【００１０】
また、本発明に係る基板保持具は、前記凸部は複数列に配されている構成とするのが好ましい。
この発明にあっては、孔が開設されている複数の回路基板が複数列に配してある場合、一つの基板保持具の凸部を複数の回路基板の孔に嵌入することにより、複数列の回路基板同士を同時に支持体に保持することができ、複数列の回路基板夫々の離隔距離を揃えることができ、この状態で回路基板夫々を固定することができるため、並置される回路基板の支持体への取付け作業性を高めることができる。
【００１１】
また、本発明に係る基板保持具は、前記連結部は、前記支持体に取付けられる取付部を有する構成とするのが好ましい。
この発明にあっては、一つの基板保持具の凸部を複数の回路基板の孔に嵌入するとき、基板保持具の取付部を支持体に取付けることができるため、部品点数を増加することなく回路基板を強固に固定することができる。
【００１２】
また、本発明に係る基板保持具は、前記連結部は、前記回路基板と離隔して対向配置される光学シートのシート面に先端が接触して該光学シートの撓みを制限する柱形部を有する構成とするのが好ましい。
この発明にあっては、回路基板と離隔して対向配置される光学シートが回路基板側へ撓むのを、部品点数を増加することなく柱形部にて制限することができ、光学シートによる光学特性を安定させることができる。
【００１３】
また、本発明に係る基板保持具は、前記連結部の前記凸部の間には、コネクタを設けてある構成とするのが好ましい。
この発明にあっては、隣合う回路基板の孔に基板保持具の凸部を嵌入して回路基板同士を支持体に保持するとき、連結部のコネクタを、隣合う回路基板の接続部に接続させることができるため、換言すると基板保持具自体がコネクタを構成するため、回路基板同士のコネクタによる接続作業性を高めることができ、また、連結部にてコネクタを覆い隠すことができるため、輝度特性を向上できる。
【００１４】
また、本発明に係る電子装置は、発光ダイオードが実装され、並置される複数の回路基板と、前述した発明の基板保持具とを備えることを特徴とする。
この発明にあっては、孔が開設されている複数の回路基板が並置されている状態で、基板保持具の凸部を、隣合う回路基板の孔に嵌入することにより、隣合う回路基板同士を支持体に保持することができ、回路基板夫々の離隔距離を揃えることができ、この状態で回路基板夫々を支持体に固定することができるため、並置される回路基板の取付け作業性を高めることができる。
【００１５】
また、本発明に係る電子装置は、前記回路基板は複数列に配してある構成とするのが好ましい。
この発明にあっては、一つの基板保持具の凸部を複数の回路基板の孔に嵌入することにより、複数列の回路基板同士を支持体に保持することができ、複数列の回路基板夫々の離隔距離を揃えることができ、この状態で回路基板夫々を支持体に取付けることができるため、並置される回路基板の取付け作業性を高めることができる。
【００１６】
また、本発明に係る電子装置は、前記回路基板は、一面に回路部及び前記発光ダイオードを配してあり、隣合う前記回路基板同士をコネクタにて接続するための接続部を前記一面に設けてある構成とするのが好ましい。
この発明にあっては、一面に回路部を有する回路基板同士を、他面を平面的に揃えて並置することができるため、回路基板部分の厚さを薄くすることができ、電子装置を薄形化できる。また、並置される回路基板の他面を、コネクタに影響されることなく回路基板を支持する支持体に近付けることができるため、コネクタに対応する貫通孔を支持体に開設する必要がなく、回路基板部分の防塵性を高めることができる。
【００１７】
また、本発明に係る電子装置は、前記コネクタは前記連結部に設けてある構成とするのが好ましい。
この発明にあっては、基板保持具自体がコネクタを構成するため、殊更コネクタを操作する必要がなく、回路基板同士のコネクタによる接続作業性を高めることができ、また、連結部にてコネクタを覆い隠すことができるため、輝度特性を向上できる。
【００１８】
また、本発明に係る電子装置は、前記回路基板を支持する支持体を備え、該支持体及び前記回路基板は前記凸部が嵌入される孔を設けてある構成とするのが好ましい。
この発明にあっては、一つの基板保持具の凸部を複数の回路基板の孔に嵌入するとき、基板保持具の取付部を支持体に取付けることができるため、部品点数を増加することなく回路基板を強固に固定することができる。
【００１９】
また、本発明に係る電子装置は、前記発光ダイオードがその内部に配される貫通孔及び前記凸部が挿入される第２孔を有し、前記回路基板に対向して前記発光ダイオードが発光した光を反射させる反射シートを備える構成とするのが好ましい。
この発明にあっては、基板保持具の凸部を、反射シートの第２孔から回路基板の孔に挿入することにより、並置される複数の回路基板と反射シートとを支持体に保持することができ、反射シートの貫通孔内に発光ダイオードを配することができるため、反射シートの組込作業性を高めることができ、また、反射シート保持部材を殊更設ける必要がないため、部品点数を削減でき、コストの低減を図ることができる。
【００２０】
また、本発明に係る電子装置は、前記回路基板は隣合う列の間が、異なる距離にて離隔している構成とするのが好ましい。
この発明にあっては、発光ダイオード基板の並置個数に対応して回路基板の列間距離を異ならせることができるため、電子装置が組み込まれる表示装置における表示面の大きさに対応して輝度特性を最適に設定することができる。
【００２１】
また、本発明に係る電子装置は、並置される前記回路基板は、前記発光ダイオードの実装数を異にする構成とするのが好ましい。
この発明にあっては、列方向に並置される複数の回路基板の長さを異ならせることができるため、電子装置が組み込まれる表示装置における表示面の大きさに対応して発光ダイオード数が異なる発光ダイオード基板を組合わせることができ、発光ダイオード基板及び基板保持具の基本形状を等しくすることができ、組立て作業性、及び基板保持具等の部品の生産性を高めることができ、より一層のコストの低減を図ることができる。
【００２２】
また、本発明に係る表示装置は、一側に表示面を有する表示部と、該表示部の他側に配された前述した電子装置とを備えることを特徴とする。
この発明にあっては、一つの基板保持具の凸部を複数列の回路基板の孔に嵌入することにより、複数列の回路基板同士を支持体に同時に保持することができ、複数列の回路基板夫々の離隔距離を揃えることができ、この状態で回路基板夫々を支持体に固定することができるため、並置される回路基板の取付け作業性を高めることができる。
【発明の効果】
【００２３】
本発明によれば、孔が開設されている複数の回路基板が並置されている状態で、基板保持具の凸部を、隣合う回路基板の孔及び支持体の孔に嵌入することにより、隣合う回路基板同士を支持体に同時に保持することができ、回路基板夫々の離隔距離を揃えることができるため、並置される回路基板の支持体への取付け作業性を高めることができ、コストの低減を図ることができる。
【図面の簡単な説明】
【００２４】
【図１】本発明に係る電子装置の構成を示す一部を拡大した断面図である。
【図２】本発明に係る電子装置の一部を省略した平面図である。
【図３】本発明に係る電子装置の一部を分解した模式的斜視図である。
【図４】本発明に係る電子装置の反射シートをなくした状態を示す平面図である。
【図５】本発明に係る電子装置の反射シートがなく、基板保持具が装着されている状態を示す平面図である。
【図６】反射シートがある状態における図５のVI-VI線拡大断面図である。
【図７】反射シートがある状態における図５のVII −VII 線拡大断面図である。
【図８】本発明に係る電子装置のレンズが取付けられている発光ダイオード基板の構成を示す斜視図である。
【図９】本発明に係る電子装置を備える表示装置の構成を示す断面図である。
【図１０】本発明に係る電子装置の要部の他の構成を示す拡大断面図である。
【図１１】本発明に係る電子装置の要部の他の構成を示す拡大平面図である。
【図１２】本発明に係る電子装置の要部の他の構成を示す平面図である。
【図１３】本発明に係る電子装置の発光ダイオード基板と基板保持具との他の関係を示す模式図である。
【図１４】本発明に係る電子装置の発光ダイオード基板と基板保持具との他の関係を示す模式図である。
【図１５】本発明に係る電子装置の発光ダイオード基板と基板保持具との他の関係を示す模式図である。
【図１６】本発明に係る電子装置の発光ダイオード基板と基板保持具との他の関係を示す模式図である。
【図１７】本発明に係る電子装置の発光ダイオード基板と基板保持具との他の関係を示す模式図である。
【図１８】本発明に係る電子装置の要部の他の構成を示す断面図である。
【発明を実施するための形態】
【００２５】
以下本発明をその実施の形態を示す図面に基づいて詳述する。
実施の形態１
図１は本発明に係る電子装置の構成を示す一部を拡大した断面図、図２は電子装置の一部を省略した平面図、図３は電子装置の一部を分解した模式的斜視図、図４は反射シートをなくした状態を示す平面図、図５は反射シートがなく、基板保持具が装着されている状態を示す平面図、図６は反射シートがある状態における図５のVI-VI線拡大断面図、図７は反射シートがある状態における図５のVII −VII 線拡大断面図、図８はレンズが取付けられている発光ダイオード基板の構成を示す斜視図である。
【００２６】
図示した電子装置は、前側に表示面を有し、略直方体をなす表示部を備える薄型の表示装置における表示部の後側に装着されるもので、碁盤目のように並置される光源としての複数の発光ダイオード１と、該発光ダイオード１を一面２ａに実装してあり、格子状に並置される複数の発光ダイオード基板２と、隣合う発光ダイオード基板２，２同士を接続してある複数のコネクタ３と、発光ダイオード基板２夫々を保持する基板保持具４と、発光ダイオード基板２の一面２ａに取付けられて発光ダイオード１の頂部と対向し、該発光ダイオード１が発光した光を発散させる複数のレンズ５と、該レンズ５がその内部に配される貫通孔６１を有し、前記一面２ａに対向してレンズ５が発散した光を反射させる反射シート６と、発光ダイオード基板２を複数列に並べて支持する支持体７とを備える。
【００２７】
発光ダイオード基板２は一面２ａに回路部を有する短冊状をなし、略矩形をなす支持体７の一面７ａに長手方向及び幅方向に離隔して複数列に並置されている。発光ダイオード基板２夫々の一面２ａには図８に示すように複数の発光ダイオード１を長手方向に離隔して実装してあり、一面２ａの長手方向両端部には端子を有する接続部２１，２２が設けられており、長手方向一端部の接続部２１よりも他端側へ偏倚した位置には厚さ方向へ貫通する孔２３が設けられている。
【００２８】
長手方向一端が対向するように複数列に並置された発光ダイオード基板２において、各列の発光ダイオード基板２は、隣合う二つの接続部２１，２１同士がコネクタ３にて接続され、一方の発光ダイオード基板２の接続部２２が後記する電源回路基板に第２コネクタにて接続され、他方の発光ダイオード基板２の接続部２２が後記する制御回路基板に第３コネクタにて接続されている。
【００２９】
コネクタ３は、略直方体をなし、一面の長手方向両端部に、接続部２１，２１に対応する端子が設けられており、接続部２１，２１に接続されたとき、発光ダイオード基板２の一面２ａに重合する。
【００３０】
基板保持具４は、長手方向一端が対向するように複数列に並置される発光ダイオード基板２において、各列の発光ダイオード基板２の一端部に開設されている孔２３，２３に嵌入される複数の凸部４１，４１と、凸部４１，４１夫々の基端を連結する短冊状の連結部４２と該連結部４２から凸部４１，４１と反対方向へ向き、後記する光学シートのシート面に先端が接触して該光学シートの撓みを制限する柱形部４３と、連結部４２から凸部４１，４１と同方向へ向き、支持体７に開設される取付孔７１に挿入係止される取付部４４とを有し、凸部４１，４１が孔２３に嵌入されることにより、発光ダイオード基板２夫々を相対位置に保持するように構成されている。
【００３１】
凸部４１，４１は、発光ダイオード基板２の長手方向へ離隔して周面が対向する二つを、発光ダイオード基板２の列方向の離隔距離に対応して複数列に並置してあり、光反射性に優れているポリカーボネートにて連結部４２と一体に成形されている。また、凸部４１，４１の先端部には、略円錐形をなす嵌入部４１ａが設けられている。
【００３２】
連結部４２は、複数列の隣合う発光ダイオード基板２同士を接続する複数のコネクタ３の他面と対向するように構成されている。
【００３３】
柱形部４３は、略円錐形をなし、連結部４２と一体に成形されている。
【００３４】
取付部４４は、連結部４２の長手方向に離隔する凸部４１，４１の間から該凸部４１，４１と同方向へ向く板状突片４４ａと、該板状突片４４ａの先端に連なり、取付孔７１の孔縁部に係止される二つの爪部４４ｂとを有する。
【００３５】
発光ダイオード１は図８に示すように発光ダイオード基板２の長手方向に離隔して例えば５個、又は６個実装されており、発光ダイオード１夫々に対応して５個、又は６個のレンズ５が接着剤にて一面２ａに取付けられている。
【００３６】
レンズ５は、発光ダイオード１の頂部と離隔して対向し、該発光ダイオード１が発光した光を四方に発散させるための半球状凹部を有する透光部５１と、該透光部５１の一面２ａと対向する面から発光ダイオード基板２へ向けて突出し、透光部５１の発光ダイオード基板２に対する位置を決める三つの位置決め突起５２とを有し、該位置決め突起５２の先端が一面２ａに接着剤にて取付けられている。
【００３７】
位置決め突起５２は、透光部５１と発光ダイオード基板２との間の距離を、反射シート６の厚さよりも若干長くし、反射シート６の熱膨張を吸収することができるようになしてある。
【００３８】
反射シート６は、高反射性を有し、支持体７に対応して略矩形をなす一枚の合成樹脂シートからなり、発光ダイオード基板２の孔２３に対応する箇所に第２孔６２が開設され、レンズ５夫々に対応する箇所に貫通孔６１が開設され、コネクタ３に対応する箇所に第２貫通孔６３が開設され、取付部４４に対応する箇所に挿通孔６４が開設されている。
【００３９】
貫通孔６１は透光部５１よりも若干大径の丸形をなし、碁盤目状に配し、透光部５１が内部に配されている。第２貫通孔６３は、略矩形をなし、コネクタ３が嵌め込まれている。また、挿通孔６４は第２貫通孔６３の間に開設された丸形をなし、取付部４４が挿通されている。
【００４０】
支持体７は金属板を成形してなり、略矩形をなす平板状の板部７２及び該板部７２の周縁に連なる枠部７３を有し、板部７２には、基板保持具４の凸部４１，４１が嵌入される孔７４と、支持体７の内側の基板保持具４を取付けるための複数の取付孔７１とが開設されている。また、板部７２の一面７ａに発光ダイオード基板２を長手方向及び幅方向に並べて収容支持してある。
【００４１】
板部７２における他面の長手方向一側部には、第２コネクタにて発光ダイオード基板２のドライバに接続され、該ドライバに電圧を供給する電源回路基板が取付けられており、長手方向他側部には、第３コネクタにて発光ダイオード基板２のドライバに接続され、該ドライバを制御する制御回路基板が取付けられている。また、板部７２における他面の長手方向中央部には前記表示部に電圧を供給する電源回路基板、前記表示部の表示面に表示される画像を処理する端子回路基板、前記表示部を制御する制御回路基板等の複数の回路基板が取付けられている。
【００４２】
以上のように構成された電子装置は、開放側が上向となるように支持体７が作業台に載置され、該支持体７における板部７２の一面７ａに、列方向に隣合う二つの発光ダイオード基板２，２が複数列に並置され、各列の発光ダイオード基板２，２の隣合う一端部に設けられている接続部２１，２１にコネクタ３が接続され、各列の発光ダイオード基板２の一面に反射シート６が対向載置される。
【００４３】
この際、レンズ５における透光部５１が反射シート６の各貫通孔６１に嵌まり、また、コネクタ３が各第２貫通孔６３に嵌まる。
【００４４】
反射シート６が組込まれた後、基板保持具４の凸部４１，４１が反射シート６の第２孔６２より発光ダイオード基板２の孔２３に嵌入され、さらに、凸部４１，４１先端の嵌入部４１ａが支持体７の孔７４に夫々嵌入され、複数の発光ダイオード基板２を支持体７に同時に保持することができるとともに、反射シート６を発光ダイオード基板２の一面２ａに押付けることができる。また、基板保持具４の取付部４４が挿通孔６４より支持体７の取付孔７１に嵌入係止され、基板保持具４にて発光ダイオード基板２及び反射シート６を支持体７に固定することができ、反射シート６の発光ダイオード基板２に対する浮き上がりを防ぐことができる。
【００４５】
図９は本発明に係る電子装置を備える表示装置の構成を示す断面図である。この表示装置は、テレビ画像を表示する表示面を前側に有する表示部８０と、該表示部８０の後側に配されている電子装置Ａと、表示部８０の周縁部及び電子装置Ａの後側を隠蔽するキャビネット８１とを備える。
【００４６】
表示部８０は、表示面を有する表示パネル８２と、該表示パネル８２の後側に配されている光学シート８３とを有する。表示パネル８２の周縁部は、前保持枠体８４と、後保持枠体８５とにより前後に挾着保持され、パネルモジュールを構成しており、後保持枠体８５が支持体７の周縁部に取付けられている。
【００４７】
光学シート８３は、光源としての発光ダイオード１が発光した光を拡散する比較的厚肉の拡散板と、反射偏光板、プリズムシート、拡散シート等の比較的薄肉の合成樹脂シートが積層された積層体である。
【００４８】
支持体７は板部７２及び該板部７２の周縁に連なる枠部７３を有し、該枠部７３に前記拡散板の周縁部を支持している。
【００４９】
支持体７の内側に取付けられている基板保持具４は、光学シート８３の中央側部分と対向する位置で、柱形部４３の先端が光学シート８３の一面と接触する程度の僅少距離にて対向し、光学シート８３の撓みを制限し、光学シート８３と発光ダイオード１との間の距離を均等に保っている。
【００５０】
キャビネット８１は、表示部８０の周縁部前側を隠蔽するキャビネット前分体８１ａと、電子装置Ａの周縁部及び後側を隠蔽する深皿形状のキャビネット後分体８１ｂとを有し、支持体７の枠部７３に雄螺子により取付けられている。
【００５１】
実施の形態２
この電子装置は、図６、図７に示すように基板保持具４における連結部４２がコネクタ３を覆い隠すように構成したものである。
【００５２】
基板保持具４は、光反射性に優れているポリカーボネート等の合成樹脂により形成されている。
【００５３】
連結部４２は、最外２列の発光ダイオード基板２間の寸法に対応する長さで、且つコネクタ３よりも広幅に形成され、複数列の隣合う発光ダイオード基板２同士を接続する複数のコネクタ３の他面と対向し、該コネクタ３夫々を覆い隠している。
【００５４】
コネクタ３は通常、高反射性を有する十分な白色ではないため、コネクタ３を露出させてしまうと輝度むらの原因となるが、この電子装置にあっては、複数列の隣合う発光ダイオード基板２同士を接続する複数のコネクタ３を、光反射性に優れている連結部４２にて覆い隠すことができ、輝度むらを軽減することができる。
その他の構成及び作用は実施の形態１と同様であるため、同様の部品については同じ符号を付し、その詳細な説明及び作用効果の説明を省略する。
【００５５】
実施の形態３
図１０は電子装置の要部の他の構成を示す拡大断面図である。この電子装置は、基板保持具４における連結部４２の凸部４１，４１間に、隣合う発光ダイオード基板２，２の接続部２１，２１に接続されるコネクタ４５を設け、隣合う発光ダイオード基板２，２の接続部２１，２１同士を基板保持具４にて接続することができるように構成したものである。
【００５６】
コネクタ４５は、接着剤、凹凸の嵌合構造、リベット止め等の固定手段により連結部４２に固定される固定部４５ａと、該固定部４５ａの両端に連なる湾曲状の接続部４５ｂ，４５ｂとを有する導板からなり、凸部４１，４１が孔２３，２３に嵌入された際、接続部４５ｂ，４５ｂが発光ダイオード基板２，２の接続部２１，２１に接続されるように構成されている。
【００５７】
この電子装置にあっては、コネクタ４５を殊更操作する必要がなく、基板保持具４にて発光ダイオード基板２の相対位置を保持する作業にて隣合う発光ダイオード基板２，２の接続部２１，２１同士を接続することができる。そのため、基板保持具４を構成する連結部４２にてコネクタ３を覆い隠すことができる。
その他の構成及び作用は実施の形態１と同様であるため、同様の部品については同じ符号を付し、その詳細な説明及び作用効果の説明を省略する。
【００５８】
実施の形態４
図１１は電子装置の要部の他の構成を示す拡大平面図である。この電子装置は、複数列に並置される発光ダイオード基板２の隣合う列間の距離Ｈを異ならせ、換言すると発光ダイオード基板２の列間の並置ピッチを異ならせたものである。
【００５９】
図１１においては、中央側の列間距離を短くし、両端側の列間距離を長くしてある。この場合、発光ダイオード基板２の列間距離Ｈに対応して基板保持具４、反射シート６が形成される。
その他の構成及び作用は実施の形態１と同様であるため、同様の部品については同じ符号を付し、その詳細な説明及び作用効果の説明を省略する。
【００６０】
実施の形態５
図１２は電子装置の要部の他の構成を示す平面図である。この電子装置は、列方向に並置される発光ダイオード基板２に実装される発光ダイオード１の個数を、列方向の位置において異ならせたものである。
【００６１】
図１２においては、列方向に四つの発光ダイオード基板２を並置し、列方向一方側及び他方側の発光ダイオード１の数を夫々５個とし、列方向中央側の発光ダイオード１の数を夫々６個としてある。この場合、発光ダイオード１の実装数に対応して貫通孔６１が反射シート６に形成される。
【００６２】
この電子装置にあっては、表示装置における表示面の大きさに対応して、発光ダイオード１の数が異なる発光ダイオード基板２を組合わせることができ、発光ダイオード基板２、基板保持具４、反射シート６の基本形状を等しくすることができ、組立て作業性、及び基板保持具４等の部品の生産性を高めることができ、より一層のコストの低減を図ることができる。
その他の構成及び作用は実施の形態１と同様であるため、同様の部品については同じ符号を付し、その詳細な説明及び作用効果の説明を省略する。
【００６３】
実施の形態６
図１３は発光ダイオード基板２と基板保持具４との他の関係を示す模式図である。この電子装置は、列方向に並置される発光ダイオード基板２が複数列に配され、互いに隣合う四つの発光ダイオード基板２を一つの基板保持具４にて支持体７に保持したものである。
【００６４】
発光ダイオード基板２は、長手方向及び幅方向に離隔して発光ダイオード１が実装されている矩形をなし、一つの角部に孔２３が設けられており、孔２３に対応する複数の孔７４が支持体７に設けられている。
【００６５】
基板保持具４には、離隔して対向する二つの凸部４１が２列に設けられている。
【００６６】
この電子装置にあっては、一列の隣合う二つの発光ダイオード基板２，２と、隣合う列の二つの発光ダイオード基板２，２とを同時に支持体７に保持することができ、組立て作業性をより一層向上できる。
その他の構成及び作用は実施の形態１−５と同様であるため、同様の部品については同じ符号を付し、その詳細な説明及び作用効果の説明を省略する。
【００６７】
実施の形態７
図１４は発光ダイオード基板２と基板保持具４との他の関係を示す模式図である。この電子装置は、列方向に並置される発光ダイオード基板２を、列方向と直交する方向へ交互に偏倚させて千鳥配置となるように複数列に支持体７に配し、複数列の隣合う発光ダイオード基板２を一つの基板保持具４にて支持体７に保持したものである。
【００６８】
発光ダイオード基板２は短冊状に形成され、長手方向一端部に孔２３が設けられており、孔２３に対応する複数の孔７４が支持体７に千鳥配置されている。
【００６９】
基板保持具４は、最外列二つの発光ダイオード基板２間の寸法に対応した長さの短冊状をなし、列方向に隣合う発光ダイオード基板２に対応する複数の凸部４１が、幅方向に離隔して千鳥配置されている。
【００７０】
この電子装置にあっては、千鳥配置された複数の発光ダイオード基板２を同時に支持体７に保持することができ、組立て作業性をより一層向上できる。
その他の構成及び作用は実施の形態１−５と同様であるため、同様の部品については同じ符号を付し、その詳細な説明及び作用効果の説明を省略する。
【００７１】
実施の形態８
図１５は発光ダイオード基板２と基板保持具４との他の関係を示す模式図である。この電子装置は、列方向に並置される発光ダイオード基板２を複数列に支持体７に配し、列方向の位置で隣合う発光ダイオード基板２，２同士を基板保持具４にて支持体７に保持したものである。
【００７２】
発光ダイオード基板２は短冊状に形成され、長手方向一端部に孔２３が設けられており、孔２３に対応する複数の孔７４が支持体７に設けられている。
【００７３】
基板保持具４は、離隔して二つの凸部４１，４１が並置されている。
【００７４】
この電子装置にあっては、列方向の位置で隣合う発光ダイオード基板２，２を同時に支持体７に保持することができ、組立て作業性を向上できる。
その他の構成及び作用は実施の形態１−５と同様であるため、同様の部品については同じ符号を付し、その詳細な説明及び作用効果の説明を省略する。
【００７５】
実施の形態９
図１６は発光ダイオード基板２と基板保持具４との他の関係を示す模式図である。この電子装置は、列方向に並置される発光ダイオード基板２を、列方向と直交する方向へ交互に偏倚させて千鳥配置となるように複数列に支持体７に配し、互いに隣合う三つの発光ダイオード基板２，２，２を一つの基板保持具４にて支持体７に保持したものである。
【００７６】
発光ダイオード基板２は短冊状に形成され、長手方向一端部に孔２３が設けられている第１の発光ダイオード基板２ｂと、長手方向一端部の角部に孔２３が設けられている第２の発光ダイオード基板２ｃとがあり、この第１及び第２の発光ダイオード基板２ｂ，２ｃが千鳥配置されており、孔２３に対応する複数の孔７４が支持体７に千鳥配置されている。
【００７７】
基板保持具４は、互いに隣合う三つの発光ダイオード基板２ｂ，２ｃ，２ｃの孔２３に対応する三つの凸部４１が設けられている。
【００７８】
この電子装置にあっては、千鳥配置された三つの発光ダイオード基板２ｂ，２ｃ，２ｃを同時に支持体７に保持することができ、組立て作業性をより一層向上できる。
その他の構成及び作用は実施の形態１−５と同様であるため、同様の部品については同じ符号を付し、その詳細な説明及び作用効果の説明を省略する。
【００７９】
実施の形態１０
図１７は発光ダイオード基板２と基板保持具４との他の関係を示す模式図である。この電子装置は、列方向に並置される発光ダイオード基板２が複数列に配され、一列の隣合う二つの発光ダイオード基板２，２と、隣合う列の二つの発光ダイオード基板２，２とを一つの基板保持具４にて同時に支持体７に保持したものである。
【００８０】
発光ダイオード基板２は短冊状に形成され、長手方向一端部に孔２３が設けられており、孔２３に対応する複数の孔７４が支持体７に設けられている。
【００８１】
基板保持具４は、離隔して対向する二つの凸部４１が２列に設けられている。
【００８２】
この電子装置にあっては、一列の隣合う二つの発光ダイオード基板２，２と、隣合う列の二つの発光ダイオード基板２，２とを同時に支持体７に保持することができ、組立て作業性をより一層向上できる。
その他の構成及び作用は実施の形態１−５と同様であるため、同様の部品については同じ符号を付し、その詳細な説明及び作用効果の説明を省略する。
【００８３】
実施の形態１１
図１８は本発明に係る電子装置の要部の他の構成を示す断面図である。この電子装置は、基板保持具４の柱形部４３をなくしたものである。
【００８４】
この電子装置にあっては、光学シート８３のシート面に接触して該光学シート８３の撓みを制限するシート受具が必要に応じて別途設けられ、該シート受具を取付けるための取付孔が支持体７又は発光ダイオード基板２に設けられる。
その他の構成及び作用は実施の形態１−５と同様であるため、同様の部品については同じ符号を付し、その詳細な説明及び作用効果の説明を省略する。
【００８５】
尚、以上説明した実施の形態２乃至１１は、実施の形態１乃至１１のいずれかと組合せる構成としてもよい。
【００８６】
また、以上説明した実施の形態では、長さが等しい発光ダイオード基板２を幅方向へ離隔して並置し、各列の発光ダイオード基板２が隣合う箇所を、発光ダイオード基板２の幅方向へ揃うように構成してあるが、その他、長さが異なる発光ダイオード基板２を幅方向へ離隔して並置し、各列の発光ダイオード基板２が隣合う箇所を例えば千鳥状に異ならせる、又は、発光ダイオード基板２の長手方向と交差する方向へ直線的に偏倚させるように構成してもよく、発光ダイオード基板２の組合せ構成は特に制限されない。この場合、基板保持具４及び反射シート６は、発光ダイオード基板２の組合せ構成に対応して形成される。
【００８７】
また、以上説明した実施の形態では、基板保持具４が反射シート６を発光ダイオード基板２側へ押付けるように構成したが、その他、基板保持具４は、反射シート６の押付けをなくし、発光ダイオード基板２を保持するようにしてもよい。
【符号の説明】
【００８８】
１    発光ダイオード
２，２ｂ，２ｃ    発光ダイオード基板（回路基板）
２１，２２  接続部
２３  孔
３    コネクタ
４    基板保持具
４１  凸部
４１ａ  嵌入部
４２  連結部
４３  柱形部
４４  取付部
４５  コネクタ
６    反射シート
６１  貫通孔
６２  第２孔 
７    支持体
７４  孔
８０  表示部
Ａ    電子装置
【図１】
2010278426.tif 000003
【図２】
2010278426.tif 000004
【図３】
2010278426.tif 000005
【図４】
2010278426.tif 000006
【図５】
2010278426.tif 000007
【図６】
2010278426.tif 000008
【図７】
2010278426.tif 000009
【図８】
2010278426.tif 000010
【図９】
2010278426.tif 000011
【図１０】
2010278426.tif 000012
【図１１】
2010278426.tif 000013
【図１２】
2010278426.tif 000014
【図１３】
2010278426.tif 000015
【図１４】
2010278426.tif 000016
【図１５】
2010278426.tif 000017
【図１６】
2010278426.tif 000018
【図１７】
2010278426.tif 000019
【図１８】
2010278426.tif 000020
【手続補正書】
【提出日】平成22年7月30日(2010.7.30)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明に係る基板保持具は、並置される複数の回路基板を支持するための支持体に前記回路基板を保持する基板保持具であって、隣合う前記回路基板及び支持体に開設される孔に嵌入されるべき複数の凸部と、該凸部夫々を連結している連結部とを有し、該連結部は、前記支持体に取付けられる取付部を有することを特徴とする。
この発明にあっては、孔が開設されている支持体に、該支持体の前記孔に対応する孔が開設されている複数の回路基板が並置されている状態で、基板保持具の凸部を、隣合う回路基板の孔から支持体の孔に嵌入することにより、隣合う回路基板同士を同時に支持体に保持することができ、回路基板夫々の離隔距離を揃えることができ、この状態で回路基板夫々を固定することができるため、並置される回路基板の支持体への取付け作業性を高めることができる。また、一つの基板保持具の凸部を複数の回路基板の孔に嵌入するとき、基板保持具の取付部を支持体に取付けることができるため、部品点数を増加することなく回路基板を強固に固定することができる。
【手続補正５】
【補正対象書類名】特許請求の範囲
【補正対象項目名】全文
【補正方法】変更
【補正の内容】
【特許請求の範囲】
【請求項１】
並置される複数の回路基板を支持するための支持体に前記回路基板を保持する基板保持具であって、隣合う前記回路基板及び支持体に開設される孔に嵌入されるべき複数の凸部と、該凸部夫々を連結している連結部とを有し、該連結部は、前記支持体に取付けられる取付部を有することを特徴とする基板保持具。
【請求項２】
前記連結部は、前記回路基板と離隔して対向配置される光学シートのシート面に先端が接触して該光学シートの撓みを制限する柱形部を有する請求項１記載の基板保持具。
【請求項３】
前記連結部の前記凸部の間には、コネクタを設けてある請求項１又は２記載の基板保持具。
【請求項４】
発光ダイオードが実装され、並置される複数の回路基板と、請求項１から３のいずれか一つに記載の基板保持具とを備えることを特徴とする電子装置。
【請求項５】
前記回路基板は複数列に配してある請求項４記載の電子装置。
【請求項６】
前記回路基板は、一面に回路部及び前記発光ダイオードを配してあり、隣合う前記回路基板同士をコネクタにて接続するための接続部を前記一面に設けてある請求項４又は５記載の電子装置。
【請求項７】
前記コネクタは前記連結部に設けてある請求項６記載の電子装置。
【請求項８】
前記回路基板を支持する支持体を備え、該支持体及び前記回路基板は前記凸部が嵌入される孔を設けてある請求項４から７のいずれか一つに記載の電子装置。
【請求項９】
前記発光ダイオードがその内部に配される貫通孔及び前記凸部が挿入される第２孔を有し、前記回路基板に対向して前記発光ダイオードが発光した光を反射させる反射シートを備える請求項４から８のいずれか一つに記載の電子装置。
【請求項１０】
前記回路基板は隣合う列の間が、異なる距離にて離隔している請求項５記載の電子装置。
【請求項１１】
並置される前記回路基板は、前記発光ダイオードの実装数を異にする請求項４から１０のいずれか一つに記載の電子装置。
【請求項１２】
一側に表示面を有する表示部と、該表示部の他側に配された請求項４から１１のいずれか一つに記載の電子装置とを備えることを特徴とする表示装置。